(57)【要約】  【課題】  買取査定が容易にできる古物買取査定システムを提供する。  【解決手段】古物買取査定システム１は、査定対象古物の査定対象画像情報を入力する画像入力手段６と、複数種の商品の登録画像情報を対応する買取価格とともに記憶する記憶手段10とを備える。本システム１は、査定対象画像情報と記憶手段10内の登録画像情報とを比較し査定対象画像情報に応じた登録画像情報を抽出する比較抽出手段を備える。本システム１は、抽出した登録画像情報を対応する買取価格とともに表示する表示手段７を備える。  【選択図】図１
2005196632.tif 000002
【特許請求の範囲】
【請求項１】
査定対象古物の査定対象画像情報を入力する画像入力手段と、
複数種の商品の登録画像情報を対応する買取価格とともに記憶する記憶手段と、
前記画像入力手段にて入力された査定対象画像情報と前記記憶手段にて記憶された登録画像情報とを比較し、査定対象画像情報に応じた登録画像情報を抽出する比較抽出手段と、
この比較抽出手段にて抽出された登録画像情報を対応する買取価格とともに表示する表示手段と
を備えることを特徴とする古物買取査定システム。
【請求項２】
査定対象古物である古物同人誌の表紙の査定対象画像情報を入力する画像入力手段と、
複数種の同人誌の表紙の登録画像情報を対応する買取価格とともに記憶する記憶手段と、
前記画像入力手段にて入力された査定対象画像情報と前記記憶手段にて記憶された登録画像情報とを比較し、査定対象画像情報に応じた登録画像情報を抽出する比較抽出手段と、
この比較抽出手段にて抽出された登録画像情報を対応する買取価格とともに表示する表示手段と
を備えることを特徴とする古物買取査定システム。
【請求項３】
比較抽出手段は、査定対象画像情報に応じた登録画像情報を複数抽出可能となっており、
表示手段は、前記比較抽出手段にて抽出された複数の登録画像情報の中から選択された一の登録画像情報を対応する買取価格とともに表示する
ことを特徴とする請求項１または２記載の古物買取査定システム。
【発明の詳細な説明】
【技術分野】
【０００１】
本発明は、買取査定を容易に行うことができる古物買取査定システムに関するものである。
【背景技術】
【０００２】
従来、古物を取り扱う店舗では、買取専門員が査定表を基に古物の買取査定を行っていた。しかし、近年では、市場における商品の数が非常に多く、査定表から査定対象である査定対象古物を探すのが難しくなり、このため、買取査定システムを構成するコンピュータに査定表を記憶させて商品名で検索するようになってきている（例えば、特許文献１参照）。
【特許文献１】特開２００１−３５７１０７号公報
【発明の開示】
【発明が解決しようとする課題】
【０００３】
しかしながら、このような商品名で検索する買取査定システムでは、例えば査定対象古物が漫画本等の同人誌である場合、商品名（タイトル名）が同一であることが多いため、結局、経験豊富な多くの知識をもつ買取専門員でなければ、古物の買取査定の業務を行えないという問題がある。
【０００４】
本発明は、このような点に鑑みなされたもので、経験豊富な多くの知識をもつ買取専門員でなくても、買取査定を容易に行うことができる古物買取査定システムを提供することを目的とする。
【課題を解決するための手段】
【０００５】
請求項１記載の古物買取査定システムは、査定対象古物の査定対象画像情報を入力する画像入力手段と、複数種の商品の登録画像情報を対応する買取価格とともに記憶する記憶手段と、前記画像入力手段にて入力された査定対象画像情報と前記記憶手段にて記憶された登録画像情報とを比較し、査定対象画像情報に応じた登録画像情報を抽出する比較抽出手段と、この比較抽出手段にて抽出された登録画像情報を対応する買取価格とともに表示する表示手段とを備えるものである。
【０００６】
そして、表示手段が比較抽出手段にて抽出された登録画像情報を対応する買取価格とともに表示するため、経験豊富な多くの知識をもつ買取専門員でなくても、買取査定を容易に行うことが可能となる。
【０００７】
請求項２記載の古物買取査定システムは、査定対象古物である古物同人誌の表紙の査定対象画像情報を入力する画像入力手段と、複数種の同人誌の表紙の登録画像情報を対応する買取価格とともに記憶する記憶手段と、前記画像入力手段にて入力された査定対象画像情報と前記記憶手段にて記憶された登録画像情報とを比較し、査定対象画像情報に応じた登録画像情報を抽出する比較抽出手段と、この比較抽出手段にて抽出された登録画像情報を対応する買取価格とともに表示する表示手段とを備えるものである。
【０００８】
そして、表示手段が比較抽出手段にて抽出された登録画像情報を対応する買取価格とともに表示するため、経験豊富な多くの知識をもつ買取専門員でなくても、古物同人誌の買取査定を容易に行うことが可能となる。
【０００９】
請求項３記載の古物買取査定システムは、請求項１または２記載の古物買取査定システムにおいて、比較抽出手段は、査定対象画像情報に応じた登録画像情報を複数抽出可能となっており、表示手段は、前記比較抽出手段にて抽出された複数の登録画像情報の中から選択された一の登録画像情報を対応する買取価格とともに表示するものである。
【００１０】
そして、表示手段が比較抽出手段にて抽出された複数の登録画像情報の中から選択された一の登録画像情報を対応する買取価格とともに表示するため、買取査定をより一層容易に行うことが可能となる。
【発明の効果】
【００１１】
請求項１記載の古物買取査定システムによれば、表示手段が比較抽出手段にて抽出された登録画像情報を対応する買取価格とともに表示するため、経験豊富な多くの知識をもつ買取専門員でなくても、買取査定を容易に行うことができる。
【００１２】
請求項２記載の古物買取査定システムによれば、表示手段が比較抽出手段にて抽出された登録画像情報を対応する買取価格とともに表示するため、経験豊富な多くの知識をもつ買取専門員でなくても、古物同人誌の買取査定を容易に行うことができる。
【００１３】
請求項３記載の古物買取査定システムによれば、表示手段が比較抽出手段にて抽出された複数の登録画像情報の中から選択された一の登録画像情報を対応する買取価格とともに表示するため、買取査定をより一層容易に行うことができる。
【発明を実施するための最良の形態】
【００１４】
本発明の古物買取査定システムの一実施の形態を図面を参照して説明する。
【００１５】
図１において、１は古物買取査定システムで、この古物買取査定システム１は、中古品等の古物を取り扱う店舗において古物の買取査定の際に使用されるもので、査定対象である査定対象古物は、例えば漫画本等の古物同人誌である。
【００１６】
なお、同人誌は、他商業の商材と違い、その固体を識別するためのコード（ＪＡＮやＩＳＢＮコード）をもっておらず、しかも同タイトルのものが多く、同じサークルでも別の名前で発行しているもの等も存在する。
【００１７】
そして、古物買取査定システム１は、コンピュータ等にて構成されたもので、図１に示されるように、入出力制御部２、主制御部３および画像情報比較処理プログラム４等からなるシステム本体５を備えている。
【００１８】
また、古物買取査定システム１は、デジタルカメラ或いはスキャナ等の画像入力手段６と、ディスプレイ等の表示手段７と、プリンタ等の出力手段８と、キーボードやマウス等の入力手段９と、データベース等の記憶手段10とを備えている。
【００１９】
そして、画像入力手段６は、システム本体５に対して査定対象古物である古物同人誌の表紙（例えばカラー表紙）の査定対象画像情報を入力するものである。
【００２０】
また、記憶手段10は、複数種の同人誌（商品）の表紙（例えばカラー表紙）の登録画像情報を対応する買取価格、タイトル名および作者名等とともに記憶するものである。なお、記憶手段10内の情報は、追加、変更および削除等が可能となっている。
【００２１】
また一方、システム本体５は、画像入力手段６にて入力された査定対象画像情報と記憶手段10にて記憶された登録画像情報とを比較し、査定対象画像情報に応じた登録画像情報を抽出する比較抽出手段の機能を有するものである。すなわち、古物買取査定システム１は、一の査定対象画像情報と記憶手段10内の複数の登録画像情報とを画像情報比較処理プログラムに従って比較し、その一の査定対象画像情報に似た登録画像情報を抽出する比較抽出手段を備えている。
【００２２】
また、表示手段７は、比較抽出手段にて抽出された登録画像情報を対応する買取価格、タイトル名および作者名等とともに表示するものである。
【００２３】
なお、比較抽出手段は一の査定対象画像情報に応じた登録画像情報を複数抽出可能となっており、複数抽出された場合には表示手段７は比較抽出手段にて抽出された複数の登録画像情報の中から選択された一の登録画像情報を対応する買取価格、タイトル名および作者名等とともに表示するようになっている。
【００２４】
次に、上記古物買取査定システム１を使用して古物同人誌の買取査定を行う場合について、図２のフローチャートに沿って説明する。
【００２５】
古物同人誌を取り扱い、古物同人誌の買取を行う店舗の店員である使用者は、システム１を起動させた後、氏名およびパスワード等を入力してログインする（ステップ１）。
【００２６】
次いで、使用者は、古物同人誌の買取を希望する者である顧客に関する顧客データの入力を行う（ステップ２）。例えば顧客マスタをバーコードで検索し、新規顧客の場合はマスタ追加登録を行う。
【００２７】
続いて、使用者は、顧客が持ってきた例えば複数冊の古物同人誌を手作業でグループ分けすることにより、古物同人誌の状態ランク分けを行う（ステップ３）。
【００２８】
次いで、使用者は、例えば古物同人誌をカメラ撮影台に載せて古物同人誌の表紙をデジタルカメラ（画像入力手段６）で撮影して古物同人誌の表紙の査定対象画像情報を主制御部３に取り込んで入力した後、その査定対象画像情報と記憶手段10内の登録画像情報との比較によりその査定対象画像情報と似た登録画像情報を検索する（ステップ４）。そして、その検索結果は、表示手段７の表示部に表示される（ステップ５）。
【００２９】
例えば図３に示す買取作業画面のように、査定対象画像情報に似た複数（例えば最大１０）の登録画像情報が、記憶手段10内から画像候補として抽出されて近い順に並列表示される。なお、図示しないが、検索結果が１件で、査定対象画像情報と略同一の１つの登録画像情報が表示される場合もある。
【００３０】
そして、画像候補の有無を確認し（ステップ６）、複数の画像候補つまり登録画像情報が表示されている場合において使用者が所望の一の登録画像情報（査定対象画像情報と略同一のもの）を選択して決定すると（ステップ７）、選択された一の登録画像情報（例えば候補１のもの）が、対応する買取価格（例えば９００円）、タイトル名および作者名等とともに表示手段７の表示部に表示される（ステップ８）。そして、使用者は、その表示された買取価格で古物同人誌の買取を行う。
【００３１】
なお、複数の画像候補中に決定すべきものがない場合には、タイトル名（名称）やジャンル等の詳細検索条件を入力して再検索を行う（ステップ９）。
【００３２】
また一方、画像候補が無しの場合には、使用者は、査定・新規アイテムマスタ登録を行う（ステップ１０）。例えば社内の査定部門にて処理し、店頭では次の処理をする。なお、プレミアでないことが明らかな場合は、買取価格および数量をダイレクトに入力可能である。
【００３３】
そして、複数冊の古物同人誌の買取査定が完了し、次に処理すべき古物同人誌がない場合には、システム１を停止させる。
【００３４】
このようにして古物買取査定システム１を使用すれば、表示手段７が比較抽出手段にて抽出された登録画像情報を対応する買取価格等とともに表示するため、経験豊富な多くの知識をもつ買取専門員でなくても、古物同人誌の買取査定を容易に行うことができる。すなわち例えばパート、アルバイト或いは経験の浅い買取専門員等であっても、査定対象古物である古物同人誌の買取査定を素早く簡単に行うことができ、しかも、店員毎の買取価格のばらつきの低減等も図ることができる。
【００３５】
なお、査定対象古物は、古物同人誌には限定されず、市販の漫画本、写真集或いは雑誌等でもよい。
【図面の簡単な説明】
【００３６】
【図１】本発明の古物買取査定システムの一実施の形態を示すシステム構成図である。
【図２】同上古物買取査定システムのフローチャートである。
【図３】同上古物買取査定システムの表示手段の表示画面の一例である。
【符号の説明】
【００３７】
１    古物買取査定システム
６    画像入力手段
７    表示手段
10    記憶手段
【図１】
2005196632.tif 000003
【図２】
2005196632.tif 000004
【図３】
2005196632.tif 000005